(57)【要約】  ディスプレイ（１０３）と、タッチパネル（１１０）と、揮発性メモリ（１０７）と、複数の画面データ（１０９１〜１０９ｎ）を含む制御画面データ（１０８）を格納する不揮発性メモリ（１０６）と、起動時に揮発性メモリ（１０７）上に制御画面データ（１０８）を展開する起動制御部（１０１）と、揮発性メモリ（１０７）に展開された制御画面データに画面データが含まれる画面のいずれかをディスプレイ（１０３）に表示し、タッチパネル（１１０）に対する入力操作に応じて、表示する画面を変更する表示制御部（１０２）とを備え、起動制御部（１０１）は、起動時に最初に表示する初回表示画面を最高位として設定される優先順位に基づいた順番で制御画面データ（１０８）を展開し、表示制御部（１０２）は、初回表示画面の画面データを揮発性メモリ（１０７）へ展開した時点で、初回表示画面をディスプレイ（１０３）に表示する。
2014174673.tif 000002
【特許請求の範囲】
【請求項１】
表示部と、
操作部と、
揮発性メモリと、
複数の画面のデータを含む制御画面データを格納する不揮発性メモリと、
起動時に前記揮発性メモリ上に前記制御画面データを展開する起動制御部と、
前記揮発性メモリに展開された前記制御画面データにデータが含まれる画面のいずれかを前記表示部に表示し、前記操作部に対する入力操作に応じて、前記表示部に表示する画面を変更する表示制御部とを備え、
前記起動制御部は、起動時に最初に表示する初回表示画面を最高位として前記各画面のデータに設定される優先順位に基づいた順番で前記制御画面データを展開し、
前記表示制御部は、前記初回表示画面のデータを前記揮発性メモリへ展開した時点で、前記初回表示画面を前記表示部に表示することを特徴とするプログラマブル表示器。
【請求項２】
前記表示制御部は、前記揮発性メモリへのデータの展開が完了した画面を、前記操作部を介した操作があったタイミングで前記表示部に表示することを特徴とする請求項１に記載のプログラマブル表示器。
【請求項３】
前記優先順位を示す優先順位情報を、前記不揮発性メモリに格納する優先順位情報管理部を有し、
前記起動制御部は、前記優先順位情報に基づいて、前記制御画面データを前記不揮発性メモリから前記揮発性メモリに展開することを特徴とする請求項１又は２に記載のプログラマブル表示器。
【請求項４】
前記優先順位情報管理部は、前記制御画面データにデータが含まれる各画面を前記表示部に表示させた表示回数に基づいて、前記優先順位を更新することを特徴とする請求項３に記載のプログラマブル表示器。
【発明の詳細な説明】
【技術分野】
【０００１】
本発明は、接続された制御装置の状態を表示するプログラマブル表示器において、制御装置の状態を表示するための制御画面データの起動処理に関する。
【背景技術】
【０００２】
プログラマブル表示器は、ＰＬＣ（Programmable Logic Controller）などの制御装置と接続し、接続された制御装置の状態を表示し、ユーザに操作・監視を促す。プログラマブル表示器において制御装置の状態を表示するために、制御対象の装置に合わせた制御画面データを作画ソフトウェアなどの画面作成装置で作成し、プログラマブル表示器の不揮発性メモリに格納する。プログラマブル表示器は、不揮発性メモリに格納された制御画面データを用いて動作する。【０００３】
プログラマブル表示器は、稼働中に高速動作させるために、不揮発性メモリに格納された制御画面データをＩ／Ｏ（Input/Output）処理が高速な揮発性メモリにプログラマブル表示器の起動時に展開し、稼働後は揮発性メモリ上に展開済の制御画面データを用いて動作する仕組みを備えている。【０００４】
制御画面データは、制御対象の装置に合わせて、ユーザにより任意の枚数の画面データを作成することができる。そのため、複数枚の画面データが存在する場合は、画面データごとに不揮発性メモリから揮発性メモリへの展開処理を行う。全ての画面データの展開が完了すると、あらかじめ作画ソフトウェアなどの画面データ作成装置にて設定された起動後の初回に表示する画面データを表示部に表示して、プログラマブル表示器の起動完了となる。【０００５】
作画ソフトウェアなどによるプログラマブル表示器の起動後の初回表示画面を特定する情報の作成方法が特許文献１に開示されている。【０００６】
また、プログラマブル表示器の表示速度を高速化するために、表示頻度が高い画面データのみを揮発性メモリへ格納するための情報として、優先表示画面情報を持たせる方法が特許文献２に開示されている。
【先行技術文献】
【特許文献】
【０００７】
【特許文献１】特開２００７−０７９６７０号公報
【特許文献２】特開２０００−０２０１１２号公報
【発明の概要】
【発明が解決しようとする課題】
【０００８】
制御画面データは、ユーザにより任意の枚数の画面データを作成することができる。そのため、画面データの枚数が多くかつデータサイズが大きい場合は、プログラマブル表示器の起動時における、不揮発性メモリから揮発性メモリへの制御画面データの展開処理に時間がかかる。このとき、不揮発性メモリに格納された複数の制御画面データは、画面番号の小さい先頭の画面データから順番に展開される。【０００９】
従来のプログラマブル表示器は、不揮発性メモリに格納された全ての制御画面データを揮発性メモリに展開し終えないと起動後の初回表示画面をプログラマブル表示器の画面上に表示することができない。そのため、画面データ数が多く、かつデータサイズが大きい場合は、起動後の初回表示画面がプログラマブル表示器の画面上に表示されるまでの時間が長くなり、ユーザが不満を感じる原因となる。【００１０】
本発明は、上記に鑑みてなされたものであって、ユーザが体感するプログラマブル表示器の起動完了までの待ち時間を短縮できるプログラマブル表示器を得ることを目的とする。
【課題を解決するための手段】
【００１１】
上述した課題を解決し、目的を達成するために、本発明は、表示部と、操作部と、揮発性メモリと、複数の画面のデータを含む制御画面データを格納する不揮発性メモリと、起動時に揮発性メモリ上に制御画面データを展開する起動制御部と、揮発性メモリに展開された制御画面データにデータが含まれる画面のいずれかを表示部に表示し、操作部に対する入力操作に応じて、表示部に表示する画面を変更する表示制御部とを備え、起動制御部は、起動時に最初に表示する初回表示画面を最高位として各画面のデータに設定される優先順位に基づいた順番で制御画面データを展開し、表示制御部は、初回表示画面のデータを揮発性メモリへ展開した時点で、初回表示画面を表示部に表示することを特徴とする。
【発明の効果】
【００１２】
本発明にかかるプログラマブル表示器は、起動後の初回表示画面がプログラマブル表示器の画面上に表示されるまでの時間を短縮できるという効果を奏する。
【図面の簡単な説明】
【００１３】
【図１】図１は、本発明にかかるプログラマブル表示器の実施の形態の構成を示す図である。
【図２】図２は、優先順位情報の詳細を示す図である。
【図３】図３は、制御画面データに含まれる各画面データの関係の一例を示す図である。
【図４】図４は、優先順位情報の作成処理の流れを示すフローチャートである。
【図５】図５は、プログラマブル表示器の起動時における優先順位情報の初回表示フラグの更新処理の流れを示すフローチャートである。
【図６】図６は、プログラマブル表示器の稼働時における、優先順位情報の更新処理の流れを示すフローチャートである。
【図７】図７は、プログラマブル表示器の起動時における、制御画面データの展開処理の流れを示すフローチャートである。
【発明を実施するための形態】
【００１４】
以下に、本発明にかかるプログラマブル表示器の実施の形態を図面に基づいて詳細に説明する。なお、この実施の形態によりこの発明が限定されるものではない。
【００１５】
実施の形態．
図１は、本発明にかかるプログラマブル表示器の実施の形態の構成を示す図である。プログラマブル表示器１００は、起動制御部１０１、表示制御部１０２、ディスプレイ１０３（表示部）、周辺装置通信Ｉ／Ｆ（Interface）１０４、制御装置通信Ｉ／Ｆ１０５、不揮発性メモリ１０６、揮発性メモリ１０７及びタッチパネル１１０（操作部）を備える。また、プログラマブル表示器１００は、優先順位情報管理部２１０を備える。
【００１６】
プログラマブル表示器１００は、制御装置通信Ｉ／Ｆ１０５を介してＰＬＣなどの制御装置２００と接続され、制御装置２００の状態を表示する。制御装置２００の状態を表示する制御画面データ１０８は、プログラマブル表示器１００に接続された画面データ作成装置３００によって作成される。
【００１７】
不揮発性メモリ１０６内には、画面データ作成装置３００にて作成した制御画面データ１０８と、プログラマブル表示器１００の起動時における制御画面データ１０８の展開処理に使用する優先順位情報１１４とが格納される。
【００１８】
制御画面データ１０８は、画面１〜画面ＮのＮ枚分の画面データ１０９１〜１０９ｎを含む。また、制御画面データ１０８は、制御画面データ１０８を特定するためのユニークな番号として、画面データＩＤ１１２を持つ。また、制御画面データ１０８は、プログラマブル表示器１００の起動後初回に表示する画面を示す初回表示画面情報１１３を持つ。画面データＩＤ１１２と初回表示画面情報１１３とは、画面データ作成装置３００により、制御画面データ１０８の作成時に付与され、プログラマブル表示器１００の不揮発性メモリ１０６に格納される。
【００１９】
図２は、優先順位情報の詳細を示す図である。優先順位情報１１４は、起動対象の制御画面データ１０８を特定するための対象画面データＩＤ１１と、優先順位情報１１４にて管理対象とする画面データの数を示す画面データ数１２と、不揮発性メモリ１０６内に格納された制御画面データ１０８の画面データの数と同数の行を持つテーブル１３として構築される。テーブル１３は、画面ごとにインデックス２１と表示頻度２２と初回表示フラグ２３との情報を持つ。表示頻度２２は、プログラマブル表示器１００が稼働中に、ユーザが画面データ１０９１〜１０９ｎを表示させた回数を、優先順位情報管理部２１０が画面ごとに計測し、逐次記録していく。したがって、画面データ１０９１〜１０９ｎは、表示頻度２２の値が大きいほど、ユーザの使用頻度が高く優先順位が高いと判断される。初回表示フラグ２３は、画面データ作成装置３００にて設定される起動後の初回表示画面の画面データに対してのみＯＮとする。そのため、制御画面データ１０８内に存在する複数の画面データ１０９１〜１０９ｎに対して、初回表示フラグ２３がＯＮになるのは一つの画面データのみとなる。また、プログラマブル表示器１００による優先順位情報１１４のテーブル検索処理を高速化するために、初回表示フラグ２３がＯＮの画面データを先頭の行に配置し、以降表示頻度２２の値が高い画面データから降順に各画面データを格納する。
【００２０】
図３は、制御画面データに含まれる各画面データの関係の一例を示す図であり、画面数が４（Ｎ＝４）の場合を例としている。画面データ１０９１〜１０９４に応じた画面（画面１〜画面４）が、表示制御部１０２によりディスプレイ１０３に選択的に表示される。各画面には、画面切り替えスイッチ７１〜７４が配置されている。画面切り替えスイッチ７１〜７４は、画面１〜画面４の各々への切り替え操作のためのスイッチであり、ディスプレイ１０３の画面切り替えスイッチ７１〜７４が表示された領域にユーザが触れると、タッチパネル１１０がスイッチの押下を検出し、表示制御部１０２はタッチパネル１１０の検出結果に基づいて画面データ１０９１〜１０９４に応じた画面をディスプレイ１０３に表示させる。なお、図３では、画面の遷移関係を矢印で示している。例えば、画面４から画面１へ向かう矢印は、画面４上の画面切り替えスイッチ７１を押下することにより、ディスプレイ１０３に表示する画面を画面４から画面１へ遷移させることが可能であることを示している。
【００２１】
なお、ディスプレイ１０３に表示する画面を切り替えるためのスイッチは、画面切り替えスイッチ７１〜７４のように、遷移先が固定であるものに限られることはなく、遷移先が動的に変わるものとすることも可能である。例えば、一つ前の画面に戻る（遷移元の画面に遷移する）スイッチを設けることも可能であり、スイッチを押下した際の遷移先は、どの画面から遷移してきたかに応じて、動的に変化することになる。
【００２２】
図４は、優先順位情報の作成処理の流れを示すフローチャートである。優先順位情報管理部２１０はプログラマブル表示器１００の起動時に、不揮発性メモリ１０６内に優先順位情報１１４が存在するかを確認する（ステップＳ１０）。プログラマブル表示器１００の初回起動時のため不揮発性メモリ１０６内に優先順位情報１１４が存在しない場合（ステップＳ１０／Ｎｏ）、優先順位情報管理部２１０は、画面データ作成装置３００から取得している情報（画面データ１０９１〜１０９ｎ、画面データＩＤ１１２及び初回表示画面情報１１３）に基づいて、優先順位情報１１４を不揮発性メモリ１０６内に作成する（ステップＳ１２）。
【００２３】
具体的には、優先順位情報管理部２１０は、画面データＩＤ１１２に示されるＩＤを対象画面データＩＤ１１とする。また、優先順位情報管理部２１０は、画面データ１０９１〜１０９ｎの数をカウントして、画面データ数１２とする。さらに、優先順位情報管理部２１０は、初回表示画面情報１１３で指定された画面データをインデックス１とした上で、初回表示フラグ２３をＯＮとし、それ以外の画面は、インデックス２〜Ｎとした上で、初回表示フラグ２３をＯＦＦとしてテーブル１３を作成する。優先順位情報１１４を作成する段階では、画面データ１０９１〜１０９ｎのいずれも未表示であるため、全インデックスで表示頻度２２はゼロとなる。
【００２４】
不揮発性メモリ１０６内に優先順位情報１１４が存在する場合（ステップＳ１０／Ｙｅｓ）、次に優先順位情報管理部２１０は、優先順位情報１１４内の対象画面データＩＤ１１が、不揮発性メモリ１０６内に格納された制御画面データ１０８の画面データＩＤ１１２と一致するかを確認する（ステップＳ１１）。優先順位情報１１４内の対象画面データＩＤ１１と、不揮発性メモリ１０６内に格納された制御画面データ１０８の画面データＩＤ１１２とが一致する場合は（ステップＳ１１／Ｙｅｓ）、優先順位情報１１４を作成する必要がないため、優先順位情報１１４の作成処理を終了する。
【００２５】
制御対象の制御装置２００を変更するなどの理由により、制御画面データ１０８をユーザが別の制御画面データに変更して、優先順位情報１１４内の対象画面データＩＤ１１と、不揮発性メモリ１０６内に格納された制御画面データ１０８の画面データＩＤ１１２とが一致しない場合は（ステップＳ１１／Ｎｏ）、優先順位情報管理部２１０は、不揮発性メモリ１０６内に格納された制御画面データ１０８の画面データ１０９１〜１０９ｎ、画面データＩＤ１１２及び初回表示画面情報１１３に基づいて、新規に優先順位情報１１４を作成する（ステップＳ１２）。
【００２６】
図５は、プログラマブル表示器の起動時における優先順位情報の初回表示フラグの更新処理の流れを示すフローチャートである。優先順位情報管理部２１０は、優先順位情報１１４内の対象画面データＩＤ１１が、不揮発性メモリ１０６内に格納された制御画面データ１０８の画面データＩＤ１１２と一致するか確認する（ステップＳ２０）。
【００２７】
優先順位情報１１４内の対象画面データＩＤ１１が、不揮発性メモリ１０６内に格納された制御画面データ１０８の画面データＩＤ１１２と一致しない場合（ステップＳ２０／Ｎｏ）、優先順位情報管理部２１０は、図４に示した優先順位情報１１４の作成処理を行う。
【００２８】
優先順位情報１１４内の対象画面データＩＤ１１が、不揮発性メモリ１０６内に格納された制御画面データ１０８の画面データＩＤ１１２と一致する場合（ステップＳ２０／Ｙｅｓ）、優先順位情報管理部２１０は、優先順位情報１１４内の初回表示フラグ２３がＯＮの画面データと、不揮発性メモリ１０６内に格納された制御画面データ１０８の初回表示画面情報１１３とが一致するか確認する（ステップＳ２１）。
【００２９】
優先順位情報１１４内の初回表示フラグ２３がＯＮの画面データと、不揮発性メモリ１０６内に格納された制御画面データ１０８の初回表示画面情報１１３とが一致する場合は（ステップＳ２１／Ｙｅｓ）、初回表示フラグ２３の更新処理を終了する。
【００３０】
優先順位情報１１４内の初回表示フラグ２３がＯＮの画面データと、不揮発性メモリ１０６内に格納された制御画面データ１０８の初回表示画面情報１１３とが一致しない場合は（ステップＳ２１／Ｎｏ）、優先順位情報管理部２１０は、不揮発性メモリ１０６内に格納された制御画面データ１０８の初回表示画面情報１１３が示す画面データを、優先順位情報１１４のインデックス１の行の画面データに設定する（ステップＳ２２）。次に、優先順位情報管理部２１０は、優先順位情報１１４のインデックス２以降の行の画面データを書き換えて（ステップＳ２３）、優先順位情報１１４の初回表示フラグ２３の更新処理を終了する。
【００３１】
図６は、プログラマブル表示器の稼働時における、優先順位情報の更新処理の流れを示すフローチャートである。表示制御部１０２は、プログラマブル表示器１００の起動時、又はユーザからの画面切り替え指示（画面切り替えスイッチの押下操作）に基づき、表示対象の画面データをディスプレイ１０３に表示する（ステップＳ３０）。優先順位情報管理部２１０は、優先順位情報１１４内における表示対象の画面データの表示頻度２２をインクリメントする（ステップＳ３１）。優先順位情報管理部２１０は、インクリメントした後の表示頻度２２の値に基づいて、インデックス２〜Ｎの行の画面データを降順にソートしてテーブル１３を更新する。（ステップＳ３２）。
【００３２】
後述するように、不揮発性メモリ１０６から揮発性メモリ１０７へ制御画面データ１０８を展開する際には、インデックスの順で画面データ１０９１〜１０９ｎを展開するため、初回表示フラグの更新処理及び優先順位情報の更新処理を行うことにより、初回表示画面の画面データを最高位として画面データ１０９１〜１０９ｎに優先順位が設定される。
【００３３】
図７は、プログラマブル表示器の起動時における、制御画面データの展開処理の流れを示すフローチャートである。起動制御部１０１は、プログラマブル表示器１００の起動時、優先順位情報１１４に基づき、不揮発性メモリ１０６内に格納された制御画面データ１０８内の初回表示画面の画面データ（インデックス１の行の画面データ）を揮発性メモリ１０７に展開する（ステップＳ４０）。初回表示画面の画面データを揮発性メモリ１０７に展開した後、表示制御部１０２は初回表示画面をディスプレイ１０３に表示する（ステップＳ４１）。次に、優先順位情報１１４内の画面データ数分だけループし（ステップＳ４２）、不揮発性メモリ１０６内に格納された展開対象の画面の画面データ（インデックス２〜Ｎの行の画面データ）を、揮発性メモリ１０７へ展開する（ステップＳ４３）。
【００３４】
本実施の形態によれば、システムを構築するプログラマブル表示器１００は、不揮発性メモリ１０６内に格納された制御画面データ１０８内の初回表示画面の画面データを最優先で揮発性メモリ１０７に展開し、初回表示画面をディスプレイ１０３に表示するため、ユーザが体感する起動完了までの待ち時間を短縮することが可能である。
【００３５】
また、ユーザの使用頻度が高い画面データを優先して揮発性メモリ１０７へ展開するため、不揮発性メモリ１０６に格納されている全ての制御画面データ１０８の展開が完了していなくても、ユーザの使用頻度が高い画面データについてはすでに揮発性メモリ１０７へ展開されている可能性が高いため、速やかにプログラマブル表示器１００の画面上に表示させることが可能である。
【産業上の利用可能性】
【００３６】
以上のように、本発明にかかるプログラマブル表示器は、特に制御装置の制御画面データ数が多い場合において、ユーザが体感するプログラマブル表示器の起動完了までの待ち時間を短縮することに適している。
【符号の説明】
【００３７】
７１〜７４  画面切り替えスイッチ、１１  対象画面データＩＤ、１２  画面データ数、１３  テーブル、２１  インデックス、２２  表示頻度、２３  初回表示フラグ、１００、プログラマブル表示器、１０１  起動制御部、１０２  表示制御部、１０３  ディスプレイ、１０４  周辺装置通信Ｉ／Ｆ、１０５  制御装置通信Ｉ／Ｆ、１０６  不揮発性メモリ、１０７  揮発性メモリ、１０８制御画面データ、１０９１〜１０９ｎ  画面データ、１１０  タッチパネル、１１２  画面データＩＤ、１１３  初回表示画面情報、１１４  優先順位情報、２００  制御装置、３００  画面データ作成装置。
【図１】
2014174673.tif 000003
【図２】
2014174673.tif 000004
【図３】
2014174673.tif 000005
【図４】
2014174673.tif 000006
【図５】
2014174673.tif 000007
【図６】
2014174673.tif 000008
【図７】
2014174673.tif 000009
【手続補正書】
【提出日】平成28年6月20日(2016.6.20)
【手続補正１】
【補正対象書類名】特許請求の範囲
【補正対象項目名】全文
【補正方法】変更
【補正の内容】
【特許請求の範囲】
【請求項１】
表示部と、
操作部と、
揮発性メモリと、
複数の画面のデータを含む制御画面データを格納する不揮発性メモリと、
起動時に前記揮発性メモリ上に前記制御画面データを展開する起動制御部と、
前記揮発性メモリに展開された前記制御画面データにデータが含まれる画面のいずれかを前記表示部に表示し、前記操作部に対する入力操作に応じて、前記表示部に表示する画面を変更する表示制御部とを備え、
前記起動制御部は、起動完了後に最初に表示する初回表示画面を最高位として前記複数の画面のデータに各々設定される優先順位に基づいた順番で、前記制御画面データに含まれる前記複数の画面のデータを全て展開し、
前記表示制御部は、前記初回表示画面のデータの展開が完了し次第、前記起動制御部が他の画面データの展開中であっても前記初回表示画面を直ちに前記表示部に表示することを特徴とするプログラマブル表示器。 
【請求項２】
前記表示制御部は、前記揮発性メモリへのデータの展開が完了した画面を、前記操作部を介した操作があったタイミングで前記表示部に表示することを特徴とする請求項１に記載のプログラマブル表示器。 
【請求項３】
前記優先順位を示す優先順位情報を、前記不揮発性メモリに格納する優先順位情報管理部を有し、
前記起動制御部は、前記優先順位情報に基づいて、前記制御画面データを前記不揮発性メモリから前記揮発性メモリに展開することを特徴とする請求項１又は２に記載のプログラマブル表示器。 
【請求項４】
前記優先順位情報管理部は、前記制御画面データにデータが含まれる各画面を前記表示部に表示させた表示回数に基づいて、前記優先順位を更新することを特徴とする請求項３に記載のプログラマブル表示器。
【手続補正２】
【補正対象書類名】明細書
【補正対象項目名】０００２
【補正方法】変更
【補正の内容】
【０００２】
プログラマブル表示器は、ＰＬＣ（Programmable Logic Controller）などの制御装置と接続し、接続された制御装置の状態を表示し、ユーザに操作・監視を促す。ユーザは、プログラマブル表示器において制御装置の状態を表示するために、制御対象の装置に合わせた制御画面データを作画ソフトウェアなどの画面作成装置で作成し、プログラマブル表示器の不揮発性メモリに格納する。プログラマブル表示器は、不揮発性メモリに格納された制御画面データを用いて動作する。
【手続補正３】
【補正対象書類名】明細書
【補正対象項目名】０００３
【補正方法】変更
【補正の内容】
【０００３】
プログラマブル表示器は、稼働中に高速動作させるために、不揮発性メモリに格納された制御画面データをＩ／Ｏ（Input/Output）処理が高速な揮発性メモリにプログラマブル表示器の起動時に展開し、稼働中は揮発性メモリ上に展開済の制御画面データを用いて動作する仕組みを備えている。
【手続補正４】
【補正対象書類名】明細書
【補正対象項目名】００３７
【補正方法】変更
【補正の内容】
【００３７】
７１〜７４  画面切り替えスイッチ、１１  対象画面データＩＤ、１２  画面データ数、１３  テーブル、２１  インデックス、２２  表示頻度、２３  初回表示フラグ、１００、プログラマブル表示器、１０１  起動制御部、１０２  表示制御部、１０３  ディスプレイ、１０４  周辺装置通信Ｉ／Ｆ、１０５  制御装置通信Ｉ／Ｆ、１０６  不揮発性メモリ、１０７  揮発性メモリ、１０８ 制御画面データ、１０９１〜１０９ｎ  画面データ、１１０  タッチパネル、１１２  画面データＩＤ、１１３  初回表示画面情報、１１４  優先順位情報、２００  制御装置、３００  画面データ作成装置。
【国際調査報告】
2014174673.tif 000010
2014174673.tif 000011
2014174673.tif 000012
2014174673.tif 000013